(57)【特許請求の範囲】
【請求項１】
手差しトレイ本体と、前記手差しトレイ本体に対して上方に移動可能に付勢された用紙載置部と、前記用紙載置部の用紙を給紙するための給紙用回転部材と、前記給紙用回転部材に圧接するように対向配置される分離用部材を有し、前記給紙用回転部材によって最上位の用紙を給紙しつつ、前記分離用部材によって他の用紙を分離した状態で給紙する給紙装置において、
前記分離用部材の圧接方向と略直交する方向への移動を抑制する移動抑制手段を備えており、
前記分離用部材は、前記用紙給紙方向上流側に設けられた支軸回りに回転可能に構成され、
前記移動抑制手段は、一端が、前記用紙積載部と前記手差しトレイ本体との間で、前記手差しトレイ本体に固定されるとともに、他端が前記分離用部材の前記用紙給紙方向上流側の端面に当接されていることを特徴とする給紙装置。
【請求項２】
前記分離用部材は分離パッドであることを特徴とする請求項１記載の給紙装置。
【発明の詳細な説明】
【０００１】
【発明の属する技術分野】
この発明は、複写機・プリンター・ファクシミリ・印刷機・シュレッダ等の用紙使用機器に適用し得る給紙装置に関し、詳しくは、用紙をトレイなどから給紙する際の用紙捌き機構を改良した給紙装置に関するものである。
【０００２】
【従来の技術】
従来、上記複写機やプリンター等においては、画像の複写やプリント等を行うため、複写機やプリンター等の本体内部に配設された給紙カセットや、装置本体の外部に配設された手差しトレイなどの給紙装置によって、普通紙や厚紙、あるいはＯＨＰシート等の用紙を給紙するように構成されている。
【０００３】
上記複写機やプリンター等の用紙使用機器に使用されている給紙装置は、図９に示すように、給紙すべき用紙１００を給紙用のトレイ１０１上に載置して、当該給紙用のトレイ１０１上に載置された用紙１００の先端部を、分離パッド１０２によって半月状や円筒状に形成された給紙ロール１０３に押圧し、この給紙ロール１０３に押圧する分離パッド１０２によって、給紙用のトレイ１０１上に載置された用紙１００を１枚ずつ分離して給紙するように構成されている。尚、図９中、符号１０４は、分離パッド１０２を揺動自在に支持する支点を示している。
【０００４】
【発明が解決しようとする課題】
しかしながら、上記従来技術の場合には、次のような問題点を有している。すなわち、上記従来の給紙装置の場合には、図９に示すように、給紙ロール１０３に分離パッド１０２が押圧することによって、給紙用のトレイ１０１上に載置された用紙１００を１枚ずつ分離して給紙するように構成したものであるため、給紙される用紙１００がＯＨＰシートのように、摩擦係数が高い記録媒体の場合には、ＯＨＰシート等の記録媒体１００と分離バッド１０２との間で異音が発生するという問題点を有していた。
【０００５】
更に説明すると、上記従来の給紙装置の場合には、給紙される用紙１００がＯＨＰシートのように、摩擦係数が高い記録媒体であると、図９に示すように、ＯＨＰシート等の記録媒体１００と分離バッド１０２との間の摩擦力が過大となり、給紙ロール１０３によってＯＨＰシート１００を給紙する際に、ＯＨＰシート１００と分離バッド１０２との摩擦力によって、当該ＯＨＰシート１００が一瞬停止し、次に給紙ロール１０３の搬送力が摩擦力を上回ると、ＯＨＰシート１００が瞬間的に移動して、再度、摩擦力が搬送力を上回ると停止する動作を繰り返す現象、所謂”ステイックスリップ”現象を生じ、これに伴って分離パッド１０２が振動して異音を発生するという問題点を有していた。
【０００６】
かかる問題点の発生を回避するためには、分離パッド１０２を給紙ロール１０３に圧接する圧力を小さく設定することが考えられるが、この場合には、分離バッド１０２の捌き能力やフィード力が低下するという新たな問題点が生じる。
【０００７】
そこで、この発明は、上記従来技術の問題点を解決するためになされたものであり、その目的とするところは、捌き能力やフィード力が低下させることなく、給紙される用紙がＯＨＰシートのように、摩擦係数が高い記録媒体である場合でも、分離パッドが振動することに伴う異音を発生するのを防止することが可能な給紙装置を提供することにある。
【０００８】
【課題を解決するための手段】
すなわち、請求項１に記載の発明は、手差しトレイ本体と、前記手差しトレイ本体に対して上方に移動可能に付勢された用紙載置部と、前記用紙載置部の用紙を給紙するための給紙用回転部材と、前記給紙用回転部材に圧接するように対向配置される分離用部材を有し、前記給紙用回転部材によって最上位の用紙を給紙しつつ、前記分離用部材によって他の用紙を分離した状態で給紙する給紙装置において、
前記分離用部材の圧接方向と略直交する方向への移動を抑制する移動抑制手段を備えており、
前記分離用部材は、前記用紙給紙方向上流側に設けられた支軸回りに回転可能に構成され、
前記移動抑制手段は、一端が、前記用紙積載部と前記手差しトレイ本体との間で、前記手差しトレイ本体に固定されるとともに、他端が前記分離用部材の前記用紙給紙方向上流側の端面に当接されているように構成したものである。
【００１１】
また更に、請求項２に記載の発明は、前記分離用部材は分離パッドであることを特徴とする請求項１記載の給紙装置である。
【００１２】
【発明の実施の形態】
以下に、この発明の実施の形態について図面を参照して説明する。
【００１３】
実施の形態１
図２はこの発明の実施の形態１に係る給紙装置としての手差しトレイを示す斜視構成図である。
【００１４】
図２において、１は手差しトレイの本体を示すものであり、この手差しトレイ本体１は、図示しない画像形成装置本体の側面に取り付けられている。上記手差しトレイ本体１は、用紙２を載置するための用紙載置板部３を備えており、この用紙載置板部３は、必要に応じて、用紙２を載置した状態で、当該用紙２の先端部を後述する給紙ロール４に圧接するように上方に移動するように付勢されている。また、上記用紙載置板部３は、その幅方向の一端部（図示例では、右側の端部）を基準にして、用紙２を載置した状態で給紙する方式を採用しており、当該用紙載置板部３の幅方向の一端部には、用紙の端部を揃えるサイドガイド５が固定した状態で設けられている。
【００１５】
さらに、上記手差しトレイ本体１には、図２に示すように、用紙載置板部３の上方奥側に、用紙２を給紙するための複数（図示例では、２つ）の給紙ロール４と、当該給紙ロール４の外側にそれぞれ配置された複数（図示例では、２つ）の補助給紙ロールとしてのガイドロール６が設けられている。上記２つの給紙ロール４は、図示しない駆動手段によって回転駆動されるシャフト７に、固定した状態で取り付けられているとともに、２つのガイドロール６は、空転するように、シャフト７に回転自在に取り付けられている。また、上記２つの給紙ロール４は、ゴム等の材料によって、略半月状に形成されており、用紙２の先端部を間欠的に給送するように構成されている。一方、上記２つのガイドロール６は、合成樹脂等の材料によって、円筒状に形成されているとともに、当該ガイドロール６の外径は、給紙ロール４よりも若干小さく設定されており、給紙ロール４によって用紙２の先端を給送した後も、当該用紙２に対して所定の圧力を作用させるように構成されている。
【００１６】
尚、図示例では、左側の補助給紙ロールとしてのガイドロール６から離れた位置に、同じく補助給紙ロールとしてのガイドロール８が、シャフト７に回転自在に取り付けられている。このガイドロール８は、給紙ロール４と反対側に位置する用紙２の部分に対して、用紙搬送のガイドをするようになっている。
【００１７】
また、上記２つの給紙ロール４とガイドロール６には、図１及び図２に示すように、分離用パッド部材としての分離パッド９が圧接するように構成されている。この分離パッド９は、例えば、給紙ロール４等に圧接する部分９ａが、ゴム等の摩擦係数の高い部材で形成されている。また、上記分離パッド９は、図１及び図５に示すように、支点１０を中心にして、給紙ロール４に対して接離する方向に揺動自在に取り付けられているとともに、スプリング１７等の圧接手段によって、所定の押圧力で給紙ロール４とガイドロール６に圧接するように構成されている。
【００１８】
さらに、この実施の形態では、図３に示すように、分離パッド９の幅方向に中央部であって、しかも用紙２の給送方向の先端側に、用紙２を給紙ローラ４側に案内する用紙搬送補助部材１１が設けられている。この用紙搬送補助部材１１は、例えば、図３に示すように、支点１２を中心にして、給紙ロール４に対して接離する方向に揺動自在に取り付けられている。なお、この用紙搬送補助部材１１は、図５に示すように、分離パッド９の内側面に設けられた凹所１８に、突起１９が緩く係合するように配置されている。その際、上記用紙搬送補助部材１１表面の基端部１１ａ側は、例えば、図３に示すように、分離パッド９の表面よりも低い位置に配置され、当該用紙搬送補助部材１１表面の先端部１１ｂ側は、分離パッド９の表面と略同一平面か、あるいは分離パッド９の表面よりも高い位置に来るように設定される。また、上記用紙搬送補助部材１１は、例えば、合成樹脂等によって一体的に形成されるが、図４に示すように、当該用紙搬送補助部材の表面の全部又は一部（例えば、先端部側のみ）をゴム等によって被覆するように構成して、摩擦係数等を適宜設定するように構成しても良い。
【００１９】
ところで、この実施の形態では、分離用部材の圧接方向と略直交する方向への移動を抑制する移動抑制手段を設けるように構成されている。
【００２０】
また、この実施の形態では、前記移動抑制手段が、前記分離用部材を圧接方向と略直交する方向に付勢する付勢部材からなり、当該付勢部材は、分離用部材の支持部近傍に設けられるように構成されている。
【００２１】
すなあち、この実施の形態では、図１及び図２に示すように、分離パッド９が、移動抑制手段としての透明なマイラーフィルム１５（商品名）によって、当該分離パッド９の支持部９ｂ近傍で、なおかつ用紙挟持方向に対して略直交する方向に付勢されている。上記マイラーフィルム１５は、所定の厚さを有する合成樹脂製のフィルムからなり、当該フィルム１５を所定量だけ変形させることによって、所定の付勢力を付与することが可能となっている。また、上記マイラーフィルム１５は、図１に示すように、その略水平に配置された水平板部１５ａが、手差しトレイ本体１の固定部１ａに接着等の手段によって固着されているとともに、水平板部１５ａに連続した傾斜板部１５ｂを介して、当接部１５ｃが上方を向くように起立した状態で、一体的に折り曲げて形成されている。なお、上記マイラーフィルム１５は、図１に示すように、その水平板部１５ａを手差しトレイ本体１の固定部１ａに固着した自由状態では、その当接部が前方に傾斜しており、当該当接部を分離パッド９の支持部９ｂ近傍の長手方向に沿った端面９ｂ’に押し当てることによって、当該マイラーフィルム１５の傾斜板部１５ｂ及び当接部１５ｃが弾性変形し、分離パッド９を圧接方向Ａと略直交する方向Ｂに付勢するように構成されている。このマイラーフィルム１５が分離パッド９を付勢する力は、マイラーフィルム１５の厚さや、傾斜板部１５ｂ及び当接部１５ｃの変形量等を適宜設定することにより、所望の値とすることが可能である。また、上記マイラーフィルム１５は、傾斜板部１５ｂ及び当接部１５ｃを必ずしも備えている必要はなく、取り付け部としての水平板部１５ａに対して、任意の角度で傾斜した板状部分、又は湾曲した板状部分を備えており、当該板状部分が分離パッド９に当接して、分離パッド９を所定の方向に付勢可能なものであれば、その形状は問わないことは勿論である。
【００２２】
以上の構成において、この実施の形態に係る給紙装置では、次のようにして、コストアップを招くことなく、給紙される用紙がＯＨＰシートのように、摩擦係数が高い記録媒体である場合でも、分離パッドが振動することに伴う異音を発生するのを防止することが可能となっている。
【００２３】
すなわち、この実施の形態に係る給紙装置では、図１及び図２に示すように、手差しトレイ１を用いて用紙２を給紙する際に、用紙載置板部３上に用紙２を載置した状態で、当該用紙載置板部３を上方に付勢することにより、用紙２の先端部が分離パッド９によって給紙ロール４及びガイドロール６に圧接される。この状態で、給紙ロール４とガイドロール６をシャフト７によって回転駆動すると、用紙２の先端部は、給紙ロール４とガイドロール６の給送力によって給送され、用紙２の給紙動作が行われる。
【００２４】
その際、上記給紙装置の場合には、給紙される用紙２がＯＨＰシートのように、摩擦係数が高い記録媒体であると、ＯＨＰシート等の記録媒体２と分離バッド９との間の摩擦力が過大となり、給紙ロール４及びガイドロール６によってＯＨＰシート２を給紙する際に、ＯＨＰシート２と分離バッド９との摩擦力によって、当該ＯＨＰシート２が一瞬停止し、次に給紙ロール４の搬送力が摩擦力を上回ると、ＯＨＰシート２が一瞬移動して、再度、摩擦力が搬送力を上回ると停止する動作を繰り返す現象、所謂”ステイックスリップ”現象を生じる場合がある。
【００２５】
ところで、この実施の形態に係る給紙装置の場合には、図１に示すように、分離パッド９の圧接方向Ａと略直交する方向Ｂへの移動を抑制する移動抑制手段としてのマイラーフィルム１５を設けるように構成されている。そのため、上記分離パッド９は、ＯＨＰシートのように摩擦係数が高い記録媒体２であり、当該ＯＨＰシート２と分離バッド９との間に”ステイックスリップ”現象が生じる場合でもあっても、マイラーフィルム１５によって圧接方向と略直交する方向に付勢されており、同方向への移動が抑制されているため、当該分離バッド９に振動が生じるのを防止することができ、分離バッド９の振動に伴う異音の発生を防止することができる。また、上記マイラーフィルム１５は、分離バッド９を圧接方向Ａと略直交する方向Ｂに付勢するものであるため、当該分離バッド９が給紙ロール４に圧接するリタード圧の変動を極力抑えることができ、給紙性能の不安定さを招くことがない。さらに、この実施の形態に係る給紙装置の場合には、分離パッド９を圧接方向Ａと略直交する方向Ｂに付勢する付勢部材としてのマイラーフィルム１５を追加するだけでよいので、ほとんどコストアップを招くことがない。
【００２６】
このように、上記実施の形態に係る給紙装置では、コストアップを招くことなく、給紙される用紙２がＯＨＰシートのように、摩擦係数が高い記録媒体である場合でも、分離パッド９が振動することに伴う異音を発生するのを防止することが可能となっている。
【００２７】
実施の形態２
図６はこの発明の実施の形態２を示すものであり、前記実施の形態１と同一の部分には同一の符号を付して説明すると、この実施の形態２では、移動抑制手段が、前記分離用パッド部材を圧接方向と略直交する方向に付勢する付勢部材からなり、当該付勢部材は、分離用パッド部材の後部（用紙給紙方向下流側）に設けられるように構成されている。
【００２８】
すなわち、この実施の形態２では、図６に示すように、分離パッド９の先端部９ｃに、給紙装置本体１のフレーム２０との間に介在するように、ゴム等の弾性部材からなる付勢部材２１が設けられており、当該付勢部材２１によって、分離パッド９を圧接方向Ａと略直交する方向Ｂに付勢することにより、給紙される用紙２がＯＨＰシートのように、摩擦係数が高い記録媒体である場合でも、分離パッド９が振動することに伴う異音を発生するのを防止するようになっている。
【００２９】
なお、上記ゴム等からなる付勢部材２１は、分離パッド９の圧接方向Ａと略直交する方向Ｂへの移動を抑制すれば十分であり、当該分離パッド９をその圧接方向Ａと略直交する方向Ｂに強く押圧する必要はない。
【００３０】
その他の構成及び作用は、前記実施の形態１と同様であるので、その説明を省略する。
【００３１】
実施の形態３
図７及び図８はこの発明の実施の形態３を示すものであり、前記実施の形態１と同一の部分には同一の符号を付して説明すると、この実施の形態３では、移動抑制手段が、前記分離用パッド部材の支持部に設けられた緩衝部材からなるように構成されている。
【００３２】
すなわち、この実施の形態３では、図７に示すように、分離パッド９の支持部９ｂに、分離パッド９が圧接方向Ａと略直交する方向Ｂに移動するのを抑制するように緩衝する緩衝部材３０が配設されている。この緩衝部材３０は、分離パッド９を揺動自在に支持する支持軸１０の一側、図示例では、分離パッド９が圧接方向Ａと略直交する方向Ｂの片側（右側）に配設されている。上記緩衝部材３０としては、例えば、図８（ａ）に示すように、屈曲配置されたテフロン（商品名）製テープのように、クッション性（弱い弾性）を有するものが用いられるが、これ以外にも、図８（ｂ）に示すように、分離パッド９を軸支する支持軸１０の一側に設けられた凹所３１に充填された高粘性のグリース等を用いても良い。
【００３３】
その他の構成及び作用は、前記実施の形態１と同様であるので、その説明を省略する。
【００３４】
【発明の効果】
以上説明したように、この発明によれば、捌き能力やフィード力が低下させることなく、給紙される用紙がＯＨＰシートのように、摩擦係数が高い記録媒体である場合でも、分離パッドが振動することに伴う異音を発生するのを防止することが可能な給紙装置を提供することができる。
【００３５】
また、この発明によれば、分離用パッド部材の圧接圧力が変動するのを極力抑えることができる。
【図面の簡単な説明】
【図１】  図１はこの発明の実施の形態１に係る給紙装置の要部を示す断面構成図である。
【図２】  図２はこの発明の実施の形態１に係る給紙装置を示す斜視構成図である。
【図３】  図３はこの発明の実施の形態１に係る給紙装置の給紙ロールと分離パッドを示す構成図である。
【図４】  図４は用紙搬送補助部材を示す構成図である。
【図５】  図５は分離パッドと用紙搬送補助部材との係合状態を示す断面構成図である。
【図６】  図６はこの発明の実施の形態２に係る給紙装置の要部を示す断面構成図である。
【図７】  図７はこの発明の実施の形態３に係る給紙装置の要部を示す断面構成図である。
【図８】  図８（ａ）（ｂ）はこの発明の実施の形態３に係る給紙装置の要部をそれぞれ示す構成図である。
【図９】  図９は従来の給紙装置の要部を示す断面構成図である。
【符号の説明】
１：手差しトレイ本体、２：用紙、３：用紙載置板部、４：給紙ロール、５：サイドガイド、６：ガイドロール、７：シャフト、８：ガイドロール、９：分離パッド、９ａ：分離パッドの給紙ロール４等に圧接する部分、９ｂ：分離パッドの支持部、１０：分離パッドの支点（支軸）、１５：マイラーフィルム（移動抑制手段）。
【図１】
0003921944.tif 000002
【図２】
0003921944.tif 000003
【図３】
0003921944.tif 000004
【図４】
0003921944.tif 000005
【図５】
0003921944.tif 000006
【図６】
0003921944.tif 000007
【図７】
0003921944.tif 000008
【図８】
0003921944.tif 000009
【図９】
0003921944.tif 000010